【手続補正書】
【提出日】平成18年11月1日(2006.11.1)
【手続補正１】
【補正対象書類名】明細書
【補正対象項目名】特許請求の範囲
【補正方法】変更
【補正の内容】
【特許請求の範囲】
【請求項１】  複数の原画素から成るデジタルビデオ画像をサイズ変更する方法において、
前記原画素が、サイズ変更ファクタによって、複数の標的画素へとサイズ変更され、
２つの原画素間隔にまたがるエリアとして、各原画素と結び付けられた点輝度エネルギーを表現する段階と、この各々のエリアスパンが、経時的な原画素のエネルギー分布に比例し、かつ２つの隣接する原画素の各々と結び付けられるエリアスパンを部分的に重ねた形を有しており、
各標的画素について、サイズ変更ファクタの関数である持続時間をもつサンプルアパーチャを作成する段階、
各標的画素について、サンプルアパーチャ内にあるエリアスパンの割合を各々表す複数の係数のセットを１つずつ提供すべく、前記サンプルアパーチャでエリアスパンをサンプリングする段階、
その付随する係数を用いて、任意の与えられたサンプルアパーチャ内にそのエリアスパンが現れる各原画素の点輝度エネルギー量をスケールして、そのアパーチャの標的画素に割り当てられるべきその原画素からの点輝度エネルギー量を提供する段階、及び
前記スケールされた結果を合算する段階、
を含んでなることを特徴とする方法。
【請求項２】  前記スケールの段階には、任意の与えられたサンプルアパーチャ内にエリアスパンが現れる各原画素について、点輝度値をその付随する係数値で乗ずる段階が含まれている
請求項１に記載の方法。
【請求項３】  前記サンプリングの段階には、３つの連続する隣接エリアスパンを同時にサンプリングする段階が含まれている
請求項１または２に記載の方法。
【請求項４】  前記サンプルアパーチャが、３つ以上のエリアスパンを含むようなサイズのものである場合、前記サンプリングを同時に一回以上行い、３つの係数のセットを複数提供し、３つの点輝度エネルギー量の各々の対応するセットをスケールした後、その結果を累積するための段階を含む
請求項３に記載の方法。
【請求項５】  各エリアスパンが三角形の形状を有する
請求項１〜４のいずれか１項に記載の方法。
【請求項６】  各三角形エリアが、その底辺が時間を表し、その高さが輝度エネルギーを表す二等辺三角形であり、三角形の第１及び第２の頂点は基線上にあり、２つの画素間隔によって分離され、第３の頂点は、画素の最大輝度を表す位置において基線から離れた状態で、第１及び第２の頂点の間の中間に配置されている
請求項５に記載の方法。
【請求項７】  前記サンプリングの段階には、面積の差に基づいて、サンプルアパーチャ内のエリアスパンの割合を計算する段階が含まれている
請求項１〜６のいずれか１項に記載の方法。
【請求項８】  原画素が、中間のアップサンプリングなしに、標的画素へと直接変換させられる
請求項１〜７のいずれか１項に記載の方法。
【請求項９】  複数の原画素から成るデジタルビデオ画像をサイズ変更する装置において、
前記原画素が、サイズ変更ファクタによって、複数の標的画素へとサイズ変更され、
２つの原画素間隔にまたがるエリアとして、各原画素に付随する点輝度エネルギーを表現するための手段と、この各エリアスパンが、経時的な原画素のエネルギー分布に比例し、かつ２つの隣接する原画素の各々に付随するエリアスパンを部分的に重ねた形状を有しており、
各標的画素について、サイズ変更ファクタの関数である持続時間を持つサンプルアパーチャを作成するための手段、
各標的画素について、サンプルアパーチャ内にあるエリアスパンの割合を各々表す複数の係数のセットを１つずつ提供すべく、前記サンプルアパーチャでエリアスパンをサンプリングするための手段、
その付随する係数を用いて、任意の与えられたサンプルアパーチャ内にそのエリアスパンが現れる各原画素の点輝度エネルギー量をスケールして、そのアパーチャの標的画素に割り当てられるべきその原画素からの点輝度エネルギー量を提供するための手段、及び
前記スケールされた結果を合算するための手段
を備えることを特徴とする装置。
【請求項１０】  前記スケーリングを行う手段は、任意の与えられたサンプルアパーチャ内にそのエリアスパンが現れる各原画素について、点輝度値をその付随する係数値で乗じる手段を備えている
請求項９に記載の装置。
【請求項１１】  前記サンプリングの手段は、３つの連続する隣接エリアエリアスパンを同時にサンプリングするための手段を備えている
請求項９または１０に記載の装置。
【請求項１２】  前記サンプリングの手段は、前記サンプルアパーチャが３つ以上のエリアスパンを含むようなサイズのものである場合に、前記サンプリングを同時に１回以上行い、３つの係数のセットを複数提供するための手段、そして３つの点輝度エネルギー量の各々の対応するセットをスケールした後、その結果を累積するための手段、を備えている
請求項１１に記載の装置。
【請求項１３】  前記表現手段は、各エリアスパンが三角形の形状を有することを表現する手段を備えている
請求項９〜１２のいずれか１項に記載の装置。
【請求項１４】  各三角形エリアが、その底辺が時間を表し、その高さが輝度エネルギーを表す二等辺三角形であり、三角形の第１及び第２の頂点は基線上にあり、２つの画素間隔によって分離され、第３の頂点は、画素の最大輝度を表す位置において基線から離れた状態で、第１及び第２の頂点の間の中間に配置されている
請求項１３に記載の装置。
【請求項１５】  前記サンプリングの手段は、面積の差に基づいて、サンプルアパーチャ内のエリアスパンの割合を計算する手段を備えている
請求項９〜１４のいずれか１項に記載の装置。
【請求項１６】  原画素が、中間のアップサンプリングなしに、標的画素へと直接変換させられる
請求項９〜１５のいずれか１項に記載の装置。
【請求項１７】  各々一連の画素を含む複数の原ラインから成るデジタルビデオ画像をサイズ変更する方法において、
前記原ラインが、一連の画素を各々含む異なる複数の標的ラインへとサイズ変更され、
個々の原画素の代わりに原ラインを置換することによって、請求項１〜８のいずれか１項に記載の方法を操作すること
を含んでなる方法。
【請求項１８】  ライン状に配置された複数の原画素から成るデジタルビデオ画像をサイズ変更する方法において、
前記原画素が、複数の標的画素へとサイズ変更され、
請求項１〜８のいずれか１項に記載の方法によって、個々の原画素を、標的画素にサイズ変更すること、及び
それと直交した形で独立して、原ラインを、一連の画素を各々含む異なる複数の標的ラインへとサイズ変更すること、及び
個々の原画素の代わりに原ラインを置換することによって、請求項１〜８のいずれか１項に記載の方法を操作すること
を含んでなる方法。
【請求項１９】  各々一連の画素を含む複数の原ラインからなるデジタルビデオ画像をサイズ変更する装置において、
前記原ラインが、一連の画素を各々含む異なる複数の標的ラインへとサイズ変更され、
各手段が、個々の原画素に代わって、原ラインについて動作するようにされている、請求項９〜１６のいずれか１項に記載の装置
を含んでなる装置。
【請求項２０】  ライン状に配置された複数の原画素からなるデジタルビデオ画像をサイズ変更するための装置において、
前記原画素が、複数の標的画素へとサイズ変更され、
原ラインを一連の画素を各々含む異なる複数の標的ラインへとサイズ変更するための装置と組合せた形で、個々の原画素を標的画素へとサイズ変更するための、及び原ラインを一連の画素を各々含む異なる複数の標的ラインへとサイズ変更するための装置を、それと直交した形で独立して動作させるための、請求項９〜１６のいずれか１項に記載の装置、及び
各手段が、個々の原画素に代わって原ラインについて動作するようにされている、請求項９〜１６のいずれか１項に記載の装置、
を含んでなる装置。
【手続補正２】
【補正対象書類名】図面
【補正対象項目名】図２
【補正方法】変更
【補正の内容】
【図２】
2000163041.tif 000001